(57)【要約】【課題】  オゾン含有氷中へのオゾンの封入率が高く、オゾンの気泡が均一に分散しているオゾン含有氷の製造方法及びその製造装置を提供する。【解決手段】  一方側に開閉可能な密閉蓋１２を備えた筒状容器１４を有し、筒状容器１４の一方側又は他方側にはポンプ１６によって供給されるオゾンが溶解しているオゾン水の注入口１８を有し、しかも、直立状態で配置される筒状容器１４の上部には、内部の気体の放出が可能でかつ外部からオゾン又は酸素の注入が可能な注排気口２０を備え、筒状容器１４に注入したオゾン水を加圧状態で冷却して凍らせ、その過程で発生するオゾンを含む気泡を微細化した。【選択図】        図１
2005077040.tif 000002
【特許請求の範囲】
【請求項１】
一方に密閉蓋を備えた筒状容器に、オゾンが溶解又は浮遊しているオゾン水を注入し、該筒状容器に注入した前記オゾン水を加圧状態で冷却して凍らせ、その過程で発生するオゾンを含む気泡を微細化したことを特徴とするオゾン含有氷の製造方法。
【請求項２】
請求項１記載のオゾン含有氷の製造方法において、前記オゾン水は、オゾンが飽和又は飽和に近い状態で溶解していることを特徴とするオゾン含有氷の製造方法。
【請求項３】
請求項１及び２のいずれか１項に記載のオゾン含有氷の製造方法において、前記オゾン水の加圧は、オゾン又は酸素を溶解した水、酸素及びオゾンの少なくとも１の強制注入によって行うことを特徴とするオゾン含有氷の製造方法。
【請求項４】
請求項１〜３のいずれか１項に記載のオゾン含有氷の製造方法において、前記オゾン水の加圧は、０を超え１０ｋｇｆ／ｃｍ2 以下、好ましくは１〜９ｋｇｆ／ｃｍ2 、更に好ましくは５〜７ｋｇｆ／ｃｍ2 で行うことを特徴とするオゾン含有氷の製造方法。
【請求項５】
請求項１〜４のいずれか１項に記載のオゾン含有氷の製造方法において、前記筒状容器の上部から冷却し、該筒状容器の上部の前記オゾン水を凍らせることを特徴とするオゾン含有氷の製造方法。
【請求項６】
一方側に開閉可能な密閉蓋を備えた筒状容器を有し、該筒状容器の一方側又は他方側にはポンプによって供給されるオゾン水の注入口を有し、しかも、直立状態で配置される前記筒状容器の上部には、内部の気体の放出が可能でかつ外部からオゾン又は酸素の注入が可能な注排気口を備えたことを特徴とするオゾン含有氷の製造装置。
【請求項７】
請求項６記載のオゾン含有氷の製造装置において、前記筒状容器の断面は円形又は長方形であることを特徴とするオゾン含有氷の製造装置。
【発明の詳細な説明】
【技術分野】
【０００１】
本発明は、生鮮食料品、例えば鮮魚、野菜等の冷蔵に使用するオゾン含有氷の製造方法及びその製造装置に関する。
【背景技術】
【０００２】
オゾンは強い酸化力により、殺菌、消毒、及び消臭効果を有し、また、時間の経過と共に酸素に分解して無害になる性質を有するため、生鮮食料品の保存や水の浄化等に有効である。しかし、オゾンは酸素に分解し易く長時間保存できない。そこで、オゾンを高濃度に溶解させたオゾン水を冷却して凍らせ、オゾン含有氷を製造していた。
【０００３】
例えば、特許文献１では、オゾン水をオゾンに対して非反応性の合成樹脂製の袋に封入し、袋のまま急速冷凍して、オゾン含有氷を製造するオゾン含有氷の製造方法が開示されている。
【０００４】
また、特許文献２では、オゾンを含む水を製造するオゾン水製造装置と、このオゾン水製造装置により製造したオゾン水を注水管を介して樹脂製容器に注水すると共に、樹脂製容器の注水口を密閉するオゾン水包装装置と、このオゾン水包装装置によりオゾン水を収容、密閉した包装体を液体冷媒中に浸漬し、順次搬送し樹脂製容器内のオゾン水を製氷する製氷装置とを備えたオゾン含有氷製造装置が開示されている。
【０００５】
更に、特許文献３では、オーガーを有する冷凍シリンダ内に、オゾン水を注入して凍らせ、冷凍シリンダの内壁に生成したオゾン含有氷をオーガーによって削氷するオゾン含有氷製造装置が開示されている。
また、特許文献４では、オゾン水を０℃以下に冷却した平滑部材の表面に接触させ、オゾン含有氷を生成させ、これを強制的にかきとって小砕片状又は箔片状の氷片とし、この氷片と水又はオゾン水との混合物を冷却してブロック状のオゾン含有氷を得るオゾン含有氷の製造方法が開示されている。
【０００６】
【特許文献１】特公平８−２７１１１号公報
【特許文献２】特開２０００−３９２３９号公報
【特許文献３】特開平９−１０５５７０号公報
【特許文献４】特開平１０−２６７４７６号公報
【発明の開示】
【発明が解決しようとする課題】
【０００７】
しかしながら、前記従来のオゾン含有氷の製造方法は未だ解決すべき以下のような問題があった。
特許文献１及び特許文献２の発明では、オゾン水を容器に入れ、これを冷媒中で冷却してオゾン含有氷とするので、装置が複雑で大型化し、オゾン氷の作成に手間がかかるという問題があった。
【０００８】
また、特許文献３及び特許文献４の発明では、オゾン水を冷却してオゾン含有氷とし、これを削り取って氷片とし、更に、これをブロック状のオゾン含有氷とするので、手間がかかると共に、冷却過程において生成するオゾンの気泡がオゾン水から大気中に放出して、オゾン含有氷中に封入されるオゾンが少なくなるという問題があった。
【０００９】
本発明はかかる事情に鑑みてなされたもので、オゾン含有氷中へのオゾンの封入率が高く、オゾンの気泡が均一に分散しているオゾン含有氷の製造方法及びその製造装置を提供することを目的とする。
【課題を解決するための手段】
【００１０】
前記目的に沿う第１の発明に係るオゾン含有氷の製造方法は、一方に密閉蓋を備えた筒状容器に、オゾンが溶解又は浮遊しているオゾン水を注入し、該筒状容器に注入した前記オゾン水を加圧状態で冷却して凍らせ、その過程で発生するオゾンを含む気泡を微細化している。
【００１１】
第２の発明に係るオゾン含有氷の製造方法は、第１の発明に係るオゾン含有氷の製造方法において、前記オゾン水は、オゾンが飽和又は飽和に近い状態で溶解している。
【００１２】
第３の発明に係るオゾン含有氷の製造方法は、第１及び第２の発明に係るオゾン含有氷の製造方法において、前記オゾン水の加圧は、オゾン又は酸素を溶解した水、酸素及びオゾンの少なくとも１の強制注入によって行う。
【００１３】
第４の発明に係るオゾン含有氷の製造方法は、第１〜第３の発明に係るオゾン含有氷の製造方法において、前記オゾン水の加圧は、０を超え１０ｋｇｆ／ｃｍ2 以下、好ましくは１〜９ｋｇｆ／ｃｍ2 、更に好ましくは５〜７ｋｇｆ／ｃｍ2 で行う。ここで、オゾン水を加圧しないとオゾン水へのオゾンの溶解度を増すことができず、また、オゾン水の加圧が１０ｋｇｆ／ｃｍ2 を超えると、耐圧性の装置が必要となり、また、オゾン水へのオゾンの溶解度があまり増加しない。
【００１４】
第５の発明に係るオゾン含有氷の製造方法は、第１〜第４の発明に係るオゾン含有氷の製造方法において、前記筒状容器の上部から冷却し、該筒状容器の上部の前記オゾン水を凍らせる。
【００１５】
前記目的に沿う第６の発明に係るオゾン含有氷の製造装置は、一方側に開閉可能な密閉蓋を備えた筒状容器を有し、該筒状容器の一方側又は他方側にはポンプによって供給されるオゾン水の注入口を有し、しかも、直立状態で配置される前記筒状容器の上部には、内部の気体の放出が可能でかつ外部からオゾン又は酸素の注入が可能な注排気口を備えている。
ここで、筒状容器は、他方側から一方側（密閉蓋が設けられた側）に拡幅させると、生成したオゾン含有氷を取り出し易いので好ましい。
【００１６】
また、筒状容器の周囲には上下に複数の冷却部を備え、上部の冷却部で上部のオゾン水を冷却した後、下部の冷却部で下部のオゾン水を冷却すると、上部の冷却部によって形成されたオゾン含有氷によって、筒状容器の下部のオゾン水がオゾン含有氷となる際に、オゾン含有氷外へのオゾンの放出を防止し、更に、下部の冷却部によってオゾン水を凍らせることができ、析出したオゾンを、オゾン水の上部に閉じこめることができ、オゾンをより多く封入できるので好ましい。
【００１７】
第７の発明に係るオゾン含有氷の製造装置は、第６の発明に係るオゾン含有氷の製造装置において、前記筒状容器の断面は円形又は長方形である。
【発明の効果】
【００１８】
第１〜第５の発明に係るオゾン含有氷の製造方法においては、一方に密閉蓋を備えた筒状容器に、オゾンが溶解又は浮遊しているオゾン水を注入し、筒状容器に注入したオゾン水を加圧状態で冷却して凍らせ、その過程で発生するオゾンを含む気泡を微細化しているので、冷却によって生成したオゾン含有氷中にオゾンを含む気泡を圧縮して封入でき、オゾン含有氷が溶解する際にオゾンを放出して、殺菌、消毒、及び脱臭ができる。
【００１９】
オゾンは水にあまり溶けないが、ヘンリーの法則から、一定の温度で一定量の液体に溶解する気体の質量は、その気体の圧力（分圧）に比例する、つまり、加圧によってオゾンの水への溶解度が増加する。従って、オゾン水を加圧することによって、オゾン水中のオゾンの溶解度を高めることができる。更に、オゾン水の冷却によっても、オゾンの溶解度を高くすることができる。
【００２０】
また、オゾン水（液体）からオゾン含有氷（固体）となる際に、オゾンの溶解度が減少し、オゾン水（固液界面）からオゾンが析出（気体の粒子が発生）するが、加圧により析出したオゾンの体積が減少し（気体の状態方程式Ｖ＝ｎＲＴ／Ｐによる。なお、Ｖは体積、ｎは気体のモル数、Ｒは気体定数、Ｔは温度、Ｐは圧力を示す）、オゾンを含む気泡の体積が小さくなると共に、オゾンを含む気泡の圧力は高くなる。更に、オゾン水が加圧されて、オゾンが析出し難くなる。なお、固液界面から析出したオゾンは、オゾン水の加圧によってオゾン水の溶解度が増しているので、再びオゾン水中に溶解することもできる。
【００２１】
オゾン水が凍る際には、その体積が増加して、筒状容器内の圧力が上昇するので、更にオゾン水の圧力が増し、オゾンの溶解度が増加して、固液界面から析出したオゾンを再びオゾン水に溶解させることができる。
また、オゾン含有氷中に生成するオゾンを含む気泡は小さいので、オゾン含有氷に取り込まれ易く、オゾン含有氷中に均一に分布し、オゾン含有氷の溶解によって、徐々にオゾンを放出できる。従って、長時間に渡って、オゾンを均一に放出することができる。このように、オゾン含有氷中へのオゾンの封入率が高く、オゾンの気泡が均一に分散しているオゾン含有氷を製造することができる。
【００２２】
第２の発明に係るオゾン含有氷の製造方法においては、オゾン水は、オゾンが飽和又は飽和に近い状態で溶解しているので、オゾン含有氷中のオゾンの封入量を多くすることができる。
【００２３】
第３の発明に係るオゾン含有氷の製造方法においては、オゾン水の加圧は、オゾン又は酸素を溶解した水、酸素及びオゾンの少なくとも１の強制注入によって行うので、オゾン水の圧力を高め、オゾンの溶解度を高めることができる。
【００２４】
第４の発明に係るオゾン含有氷の製造方法においては、オゾン水の加圧は、０を超え１０ｋｇｆ／ｃｍ2 以下、好ましくは１〜９ｋｇｆ／ｃｍ2 、更に好ましくは５〜７ｋｇｆ／ｃｍ2 で行うので、より多くのオゾンをオゾン含有氷中に封入することができる。
【００２５】
第５の発明に係るオゾン含有氷の製造方法においては、筒状容器の上部から冷却し、筒状容器の上部のオゾン水を凍らせるので、オゾン水からオゾン含有氷となる際に、オゾン水の上部に形成したオゾン含有氷によって、固液界面から析出したオゾンが、オゾン含有氷外へ放出するのを防止でき、オゾンをより多く封入できる。また、氷の蓋によって、オゾン水からオゾン含有氷となる際に、氷の自己膨張を利用でき、この自己膨張によるオゾン水の圧力上昇によって、オゾンの溶解度を高めることができる。
【００２６】
第６及び第７の発明に係るオゾン含有氷の製造装置においては、一方側に開閉可能な密閉蓋を備えた筒状容器を有し、筒状容器の一方側又は他方側にはポンプによって供給されるオゾン水の注入口を有し、しかも、直立状態で配置される筒状容器の上部には、内部の気体の放出が可能でかつ外部からオゾン又は酸素の注入が可能な注排気口を備えたので、筒状容器内のオゾン水を加圧状態で冷却して凍らせることにより、その過程で発生するオゾンを含む気泡を微細化したオゾン含有氷を製造できる。また、オゾン水を圧縮して、オゾン水中のオゾンの溶解度を高めて、オゾン水を冷却してオゾン含有氷を製造することにより、オゾン含有氷中へのオゾンの封入率を高く、また、オゾンの気泡を均一に分散させることができる。
【００２７】
オゾン水の加圧を、オゾン水の注入口からのオゾン水、あるいは、注排気口からのオゾン又は酸素の注入によって行うことができるので、オゾン含有氷が窒素酸化物等で汚染されない。また、注排気口が筒状容器の上部に設けられているので、気体を外部へ排出し易い。
【００２８】
第７の発明に係るオゾン含有氷の製造装置においては、筒状容器の断面は、円形又は長方形であるので、筒状容器の断面を円形とした場合には、オゾン含有氷が生成する際に、氷の成長方向が円の中心方向となり、氷の成長と共に固液界面の面積が小さくなるので、製氷速度が低下し難くなり、また、筒状容器の断面を長方形とした場合には、製造したオゾン含有氷を並べ易く、取り扱い易い。
【発明を実施するための最良の形態】
【００２９】
続いて、添付した図面を参照しつつ、本発明を具体化した実施の形態につき説明し、本発明の理解に供する。
ここで、図１は本発明の一実施の形態に係るオゾン含有氷の製造装置の説明図、図２は同オゾン含有氷の製造装置を使用したオゾン含有氷の製造方法の説明図、図３はオゾン水の圧力とオゾン含有氷中のオゾンの濃度を示すグラフ、図４（Ａ）は本発明の一実施の形態に係るオゾン含有氷の製造装置で製造したオゾン含有氷のガス形状を示す説明図、（Ｂ）は従来例に係るオゾン含有氷の製造装置で製造したオゾン含有氷のガス形状を示す説明図である。
【００３０】
図１及び図２を参照して、本発明の一実施の形態に係るオゾン含有氷の製造装置１０について説明する。
図１に示すように、オゾン含有氷の製造装置１０は、直立状態で配置され、下部から上部に拡幅する断面長方形（断面正方形でもよい）の筒状の容器本体１１と、容器本体１１の上部に開閉可能に取付けられる密閉蓋１２と、容器本体１１の下部に設けられた底板１３とを備えた筒状容器１４を有している。なお、筒状容器１４は、断面円形であってもよい。
【００３１】
筒状容器１４は耐圧性を有し、筒状容器１４内のオゾン水が、例えば、１０ｋｇｆ／ｃｍ2 の圧力を受けた場合、また、オゾン水の冷却によりオゾン含有氷が生成されて体積が増加した場合でも、筒状容器１４が変形しないようになっている。
【００３２】
また、筒状容器１４の底板１３には、オゾン水の注入口１８が設けられ、注入口１８はポンプ１６が途中に設けられた給水管１７を介してオゾン水を貯留した貯水槽１５に連通している。これにより、筒状容器１４内には、ポンプ１６によって、貯水槽１５からオゾン水が供給される。
【００３３】
なお、貯水槽１５には、図示しないオゾン供給装置からオゾンが供給され、予め貯水槽１５に貯留されている水にオゾンを曝気して、オゾンを飽和又は飽和に近い状態で溶解させたオゾン水を製造している。また、このオゾン水は、オゾンの気泡が浮遊した状態であってもよい。更に、貯水槽１５には、オゾン水を冷却可能な図示しない冷却装置が備えられている。また、給水管１７には、筒状容器１４に供給するオゾン水の圧力を測定する水圧計１９が取付けられている。
【００３４】
筒状容器１４の密閉蓋１２には、筒状容器１４内の気体の放出が可能で、かつ、外部から酸素（オゾンを注入することもできる）の注入が可能な注排気口２０を備えている。注排気口２０には、ガス供給管２１を介してバルブ２２付の酸素ボンベ２３が接続されている。また、ガス供給管２１には、ガス供給管２１内の酸素の圧力を測定する圧力計２４が取付けられている。
【００３５】
ガス供給管２１には、筒状容器１４内にオゾン水を供給した際に筒状容器１４内の気体（例えば、空気）を外部に放出する図示しない放出口が設けられている。なお、筒状容器１４への酸素の供給によって、筒状容器１４内のオゾン水は１０ｋｇｆ／ｃｍ2 まで加圧可能となっている。
【００３６】
また、容器本体１１の周囲には、冷却部２５が備えられている。冷却部２５は、容器本体１１の外周面に沿って環状に形成され、冷凍機２７によって冷却された冷媒が供給されている。
【００３７】
ここで、冷却部２５には、冷凍機２７に接続された冷媒配管２９、３０がそれぞれ上部及び下部に取付けられている。冷凍機２７で冷却された冷媒は、上部の冷媒配管２９を介して冷却部２５の上部に供給され、更に、冷却部２５の下部から冷媒配管３０を介して冷凍機２７に送られ、容器本体１１の上部からオゾン水を冷却可能としている。このようにして、冷媒は冷却部２５に循環供給されている。
【００３８】
次に、オゾン含有氷の製造装置１０を使用した本発明の一実施の形態に係るオゾン含有氷の製造方法について説明する。
まず、筒状容器１４の底板１３のオゾン水の注入口１８から、貯水槽１５で製造したオゾン水をポンプ１６を駆動して筒状容器１４内に供給する。筒状容器１４内の気体（空気）は、注排気口２０及びガス供給管２１に設けられた放出口を介して外部に放出される。オゾン水は、水圧計１９の値、つまり、筒状容器１４内の圧力が、例えば、３ｋｇｆ／ｃｍ2 となるまで供給する。
【００３９】
次に、バルブ２２を開け、筒状容器１４の密閉蓋１２の注排気口２０から、酸素ボンベ２３内の酸素をガス供給管２１を介して筒状容器１４内に供給し、筒状容器１４内の圧力を０を超え１０ｋｇｆ／ｃｍ2 以下、例えば、７ｋｇｆ／ｃｍ2 となるように調整する。なお、酸素の供給によって、筒状容器１４内上部には、酸素の層ができる。
【００４０】
なお、密閉蓋１２を開けて、筒状容器１４に注入口１８からオゾン水を供給した後、密閉蓋１２を閉め、ポンプ１６による貯水槽１５からのオゾン水の供給、また、酸素ボンベ２３からの酸素供給により筒状容器１４内のオゾン水を加圧してもよい。
【００４１】
ここで、筒状容器１４内のオゾン水は加圧により、ヘンリーの法則から、水への溶解度が増加する。従って、オゾン水を予め加圧することによって、オゾン水中のオゾンの溶解度を高めることができる。これによって、オゾン水が冷却されてオゾン含有氷となる際に、固液界面からオゾン水中にオゾンが析出しても、析出したオゾンを再びオゾン水に溶解させることができる。なお、オゾン水が加圧されているので、オゾン水中のオゾンが、気体として固液界面から析出し難くなっている。
【００４２】
更に、オゾン水の冷却によって、水へのオゾンの溶解度を高くすることができるので、貯水槽１５内を図示しない冷却装置によって冷却し、貯水槽１５内に貯留した水を低温にして、図示しないオゾン供給装置からオゾンを供給して曝気し、高濃度にオゾンが溶解しているオゾン水を製造することが好ましい。
【００４３】
更に、冷却部２５に、冷凍機２７から冷媒配管２９を介して、冷媒を供給する。図２に示すように、冷媒配管２９から冷却部２５の上部に供給された冷媒によって、まず、容器本体１１内上部のオゾン水が冷却されて氷となり、オゾン含有氷の蓋ができる。オゾン水が冷却され氷となる際には、オゾンの溶解度が減少し、オゾンが飽和又は飽和に近い状態で溶解しているオゾン水からオゾンが気体となって固液界面に析出する。
【００４４】
この気体（気泡）は、オゾン水の加圧によって、直径が小さくなり微細化され、オゾン水中を上昇しないので、固液界面に留まり、更に、気体の周囲のオゾン水が冷却されて氷となる際に、オゾン含有氷中に封入される。また、オゾンを含む気体がオゾン水中を上昇しても、オゾン水の上部には、氷の蓋ができているため、オゾン水中を上昇する気泡はオゾン氷中に封入される。
【００４５】
更に、冷却部２５に供給された冷媒よって、容器本体１１内下部のオゾン水も冷却されて、オゾン含有氷が製造される。オゾン水からオゾン含有氷となる際には体積増加が起こり、この自己膨張によって、オゾン水の圧力が更に増す。オゾン水からオゾン含有氷となる際に、オゾン含有氷から析出したオゾンは、オゾン水中で加圧により体積が減少し（気体の状態方程式Ｖ＝ｎＲＴ／Ｐによる）、気泡が小さくなると共に、気泡の圧力は高くなる。
【００４６】
オゾン含有氷の製造後、密閉蓋１２を開け、ポンプ１６を駆動して筒状容器１４内にオゾン水を注入して、オゾン含有氷を筒状容器１４から押し出して取り出す。ここで、容器本体１１は、下部（底板１３側）から上部（密閉蓋１２側）に拡幅しているので、オゾン含有氷が取り出し易くなっている。なお、筒状容器は、拡幅しない管状の容器であってもよい。また、密閉蓋を容器本体の底部に設け、酸素ボンベからの酸素の供給によって、生成したオゾン含有氷を容器本体から押し出して取り出してもよい。
【００４７】
このようにして製造したオゾン含有氷が溶解する際には、圧縮されたオゾンが放出し、オゾンによる殺菌、消毒、及び脱臭ができる。また、オゾン含有氷中に生成するオゾンを含む気泡の分布が均一になっているので、オゾン含有氷の溶解によって徐々にオゾンを放出できる。従って、長時間に渡って、オゾンを均一に放出することができる。
【実施例】
【００４８】
図３に示すように、オゾン含有氷の製造装置を使用して、オゾン水に加える圧力を０、１、３、７ｋｇｆ／ｃｍ2 とした後、冷却してそれぞれ製造したオゾン含有氷中のオゾン濃度を測定した。なお、筒状容器は、内径が２３ｍｍで長さが２００ｍｍの円柱形状のものを使用している。
【００４９】
用いたオゾン水は、６．１８ｍｇ／Ｌ（１５℃）のオゾンが溶解し、これを各圧力で−５０℃に冷却して、直径が２３ｍｍ、長さがおよそ２００ｍｍ、体積が８３．１ｃｍ3 の円柱形のオゾン含有氷を製造している。また、オゾン含有氷中のオゾン濃度は、ヨウ素滴定法（「オゾン発生装置におけるオゾン濃度測定指針」日本オゾン協会刊行）により測定した。
【００５０】
オゾン水の圧力が０ｋｇｆ／ｃｍ2 では、オゾン含有氷中のオゾンの量は０．２８５ｍｇであった。つまり、オゾン含有氷のオゾン濃度は、３．４３ｍｇ／Ｌであり、初期のオゾン水のオゾン濃度（６．１８ｍｇ／Ｌ）のおよそ５６％のオゾンが封入されている。また、７ｋｇｆ／ｃｍ2 の圧力では、オゾン含有氷中のオゾンの量は０．４４５ｍｇであった。つまり、オゾン含有氷中のオゾン濃度は、５．３７ｍｇ／Ｌであり、オゾン水のオゾン濃度のおよそ８７％のオゾンが封入されている。オゾン水の加圧によって、オゾン含有氷中のオゾンの封入率が増加している。
【００５１】
また、図４（Ａ）に示すように、オゾン水の加圧を１ｋｇｆ／ｃｍ2 として製造したオゾン含有氷３３は、オゾンを含む気泡３４が微細化して均一となっている。ここで、これらの気泡３４は圧縮されているので、オゾン含有氷３３が溶解する際には、オゾンが勢いよく放出され、広範囲に渡ってオゾンによる殺菌、消毒、及び脱臭ができる。また、オゾン含有氷３３中のオゾンが均一に分布しているので、徐々にオゾンを放出できる。従って、長時間に渡って、オゾンを均一に放出することができる。
【００５２】
図４（Ｂ）に示すように、圧力をかけずに製造したオゾン含有氷３５は、大きな気泡３６が点在している。これらの気泡３６は圧縮されず、オゾン含有氷３５中のオゾンが不均一に分布しているので、オゾン含有氷３５が溶解する際に、一定量のオゾンが放出されない。
【００５３】
本発明は、前記した実施の形態に限定されるものではなく、本発明の要旨を変更しない範囲での変更は可能であり、例えば、前記した実施の形態や変形例の一部又は全部を組み合わせて本発明のオゾン含有氷の製造方法及びその製造装置を構成する場合も本発明の権利範囲に含まれる。
【００５４】
例えば、前記実施の形態のオゾン含有氷の製造装置において、酸素又はオゾン水の強制注入によって筒状容器内のオゾン水を加圧したが、オゾン又は酸素を溶解した水、酸素及びオゾンの少なくとも１の強制注入によって行えばよい。従って、筒状容器に酸素又はオゾンの強制注入を行う装置を設けず、オゾン水を筒状容器に供給した後、更にオゾン水が所定圧力となるようにポンプでオゾン水を筒状容器に供給して加圧してもよい。また、オゾン水を筒状容器の下部の底板から供給したが、上部から供給してもよい。
【００５５】
また、密閉蓋を筒状容器の上部に設けたが、筒状容器の下部に設けてもよく、この場合、容器本体は、上部から下部に拡幅させ、オゾン含有氷を取り出し易くするとよい。更に、オゾン含有氷を取り出す際には、筒状容器の密閉蓋とは反対側からオゾン含有氷を押し出すように酸素ボンベから酸素を供給すればよい。
【００５６】
また、筒状容器には、冷却部を１つ設けたが、上下に２つ以上の冷却部を設けてもよく、上部に設けた冷却部から順に筒状容器を冷却することによって、オゾン含有氷中のオゾンを含む気泡をより均一に分布させることができる。更に、容器の形状や断面形状もこの限りではなく、断面形状が楕円形、三角形、五角形以上の多角形でもよく、柱状、錐状、錐台状であってもよい。
【００５７】
また、オゾン水を供給する給水管にリリーフ、アキュムレータ、安全弁等を設けてもよい。更に、製造したオゾン含有氷を容器本体外に押し出す際に、オゾン含有氷を容器本体から任意の高さ突出させ、この突出部分を切断するカッターを容器本体上方に設けてもよい。また、製造したオゾン含有氷を、破砕する装置を設けてもよい。オゾン含有氷を破砕すると、表面積が大きくなり、より多くのオゾンを放出することができる。
【００５８】
また、前記実施の形態のオゾン含有氷の製造装置において、オゾン水を冷却してオゾン含有氷を製造したが、オゾンの代わりのガス、例えば、二酸化炭素、酸素等を含有させた氷を製造することもできる。
【００５９】
ここで、二酸化炭素を含有した氷（二酸化炭素含有氷）は、オゾン含有氷の製造装置に、二酸化炭素を溶解又は浮遊させた水（二酸化炭素水）を供給して、二酸化炭素水又は二酸化炭素の少なくとも１の強制注入によって加圧した後、冷却して二酸化炭素含有氷を製造する。二酸化炭素含有氷は、水中、例えば、水割り等に入れた際に、水中で音を出して弾け、清涼感を味わうことができる。
【００６０】
また、酸素を含有した氷（酸素含有氷）は、オゾン含有氷の製造装置に、酸素を溶解又は浮遊させた水（酸素水）を供給して、酸素水又は酸素の少なくとも１の強制注入によって加圧した後、冷却して酸素含有氷を製造する。酸素含有氷は、池等に酸素を供給することができる。
【図面の簡単な説明】
【００６１】
【図１】本発明の一実施の形態に係るオゾン含有氷の製造装置の説明図である。
【図２】同オゾン含有氷の製造装置を使用したオゾン含有氷の製造方法の説明図である。
【図３】オゾン水の圧力とオゾン含有氷中のオゾンの濃度を示すグラフである。
【図４】（Ａ）は本発明の一実施の形態に係るオゾン含有氷の製造装置で製造したオゾン含有氷のガス形状を示す説明図、（Ｂ）は従来例に係るオゾン含有氷の製造装置で製造したオゾン含有氷のガス形状を示す説明図である。
【符号の説明】
【００６２】
１０：オゾン含有氷の製造装置、１１：容器本体、１２：密閉蓋、１３：底板、１４：筒状容器、１５：貯水槽、１６：ポンプ、１７：給水管、１８：注入口、１９：水圧計、２０：注排気口、２１：ガス供給管、２２：バルブ、２３：酸素ボンベ、２４：圧力計、２５：冷却部、２７：冷凍機、２９、３０：冷媒配管、３３：オゾン含有氷、３４：気泡、３５：オゾン含有氷、３６：気泡
【図１】
2005077040.tif 000003
【図２】
2005077040.tif 000004
【図３】
2005077040.tif 000005
【図４】
2005077040.tif 000006